(57)【要約】      （修正有）【課題】袋体の袋口を開口状態で維持することができると共に、不使用時にはコンパクトに保管することができ、更に使用時における組立作業を簡易に行う事のできる袋体用自立保持具を提供する。【解決手段】袋体の袋口を開口させた状態で保持する袋体用自立保持具３０であって、弾性変形可能な長尺な帯状部材１０と、帯状部材の幅方向に突き出して延伸する棒状の支柱部材２０とからなり、帯状部材の長さ方向端部には、帯状部材を環状に変形させた状態で連結する連結部１１が設けられ、支柱部材は帯状部材に３本設けられている。【選択図】図２
0003231573.tif 000002
【実用新案登録請求の範囲】
【請求項１】
袋体の袋口を開口させた状態で保持する袋体用自立保持具であって、
弾性変形可能な長尺な帯状部材と、当該帯状部材の幅方向に突き出して延伸する棒状の支柱部材とからなり、
前記帯状部材の長さ方向端部には、当該帯状部材を環状に変形させた状態で連結する連結部が設けられており、
前記支柱部材は前記帯状部材に３本設けていることを特徴とする袋体用自立保持具。
【請求項２】
前記連結部は、前記帯状部材の長さ方向端部に、相互に対向する向きに設けた切り欠き溝として形成されており、
更に、切り欠き溝同士を嵌め合わせた上から固定する締結バンドを備える、請求項１に記載の袋体用自立保持具。
【請求項３】
前記支柱部材は、前記帯状部材を環状に変形させた状態において、当該環状にした帯状部材の中心に向かって傾斜して延伸している、請求項１又は２に記載の袋体用自立保持具。
【請求項４】
前記支柱部材は、前記帯状部材から延伸した先端側が、環状に変形させた状態における帯状部材の外側又は内側に向かって曲折されている、請求項１〜３の何れか一項に記載の袋体用自立保持具。
【考案の詳細な説明】
【技術分野】
【０００１】
本考案は土嚢袋やごみ袋体などの可撓性袋体を自立させて保持する為の袋体用自立保持具に関し、特に当該可撓性袋体を開口させた状態で保持することのできる袋体用自立保持具に関する。
【背景技術】
【０００２】
従来、袋体に土砂や種子、粉粒材料、或いはゴミ等を充填する際には、袋体を自立させて充填の為の開口を広げておく必要があった。この為、土砂などの重量物を充填する際には、２人以上の作業となってしまい、作業効率の向上を図ることができなかった。
【０００３】
そこで従前においては、土嚢用の袋体を上方に開口した状態に保持するための袋体の支持枠体も提案されている。例えば特許文献１（実用新案登録第３０５６５１８号公報）では、土嚢造りに作業者が一人で済み、しかも、土嚢造りの作業時間を短縮することができて、少ない人数で大量の土嚢を短時間で造ることができるように、地面に設置される支持体と、この支持体に設けられて袋口を開けた土嚢袋を着脱可能に保持する袋保持手段とを備えた土砂詰込用機器を提案している。
【０００４】
また特許文献２（実用新案登録第３１１８２９４号公報）では、土嚢袋への出し入れを容易にした土嚢用補助具として、嚢袋の開口部の大きさに対応する寸法を有する環状体と、上記環状体の下部から所定長に延設してある複数の保持部材とを備えている土嚢用補助具を提案している。
【先行技術文献】
【特許文献】
【０００５】
【特許文献１】実用新案登録第３０５６５１８号公報
【特許文献２】実用新案登録第３１１８２９４号公報
【考案の概要】
【考案が解決しようとする課題】
【０００６】
前記特許文献１で提案されている土砂詰込用機器は、支持部材を支持体から外すことができ、また、組立てることができるために、運搬性が良好になるし、また、保管スペースが小さくなって、保管性が良好になるものとなっている。しかしながら、この土砂詰込用機器では、支持体に支持された袋掛け部の内側に土嚢袋の袋口が開口していることから、土嚢袋内に土砂を充填した後において、これを取り外すのが困難である。
【０００７】
また前記特許文献２で提案されている土嚢用補助具は、土嚢袋の開口部から袋内に入れ、袋の上部で環状体の内側に折り返して袋を開口状態に維持して土砂等を充填可能としていることから、充填作業終了後にこの環状体から補助具を少ない抵抗で容易に引き抜くことができる。しかしながら、この文献で提案されている土嚢用補助具は、構成部材同士の接続構造が複雑であり、使用時において簡易に組み立てることが困難である。
【０００８】
そこで本考案では、袋体内に物品を充填した後における取り外しを簡易に行うことができ、また使用時において簡易に組み立てる事のできる袋体用自立保持具を提供することを第１の課題とする。
【０００９】
また、当該袋体用自立保持具は、使用時においては袋体内にゴミや土砂などの物品と充填する為に袋口を開いておく必要があり、特に土砂などの重量物を充填する場合には、袋口の開口状態を確実に維持できることが必要となる。一方で当該袋体用自立保持具は、不使用時や輸送などに際しては、コンパクトに変形できることが望ましい。
【００１０】
そこで本考案は、保持対象となる袋体の袋口の開口状態を確実に維持することができると共に、不使用時にはコンパクトに保管することができ、更に使用時における組立作業を簡易に行う事のできる袋体用自立保持具を提供することも、前記第１の課題とは異なる第２の課題とする。
【課題を解決するための手段】
【００１１】
上記課題の少なくとも何れかを解決する為に、本発明では弾性変形可能な帯状部材を用いて形成した袋体用自立保持具を提供する。
【００１２】
即ち、本考案では、袋体の袋口を開口させた状態で保持する袋体用自立保持具であって、弾性変形可能な長尺な帯状部材と、当該帯状部材の幅方向に突き出して延伸する棒状の支柱部材とからなり、前記帯状部材の長さ方向端部には、当該帯状部材を環状に変形させた状態で連結する連結部が設けられており、前記支柱部材は前記帯状部材に３本設けている袋体用自立保持具を提供する。
【００１３】
かかる本考案の袋体用自立保持具において、前記連結部は、前記帯状部材の長さ方向端部に、相互に対向する向きに設けた切り欠き溝として形成することができる。そして当該切り欠き溝同士を嵌め合わせた部分を、上から固定する締結バンドを備えることができる。
【００１４】
また、前記支柱部材は、前記帯状部材を環状に変形させた状態において、当該環状にした帯状部材の中心に向かって傾斜するように延伸させることができる。そして当該支柱部材は、前記帯状部材から延伸した先端側が、環状に変形させた状態における帯状部材の内側に向かって曲折させることができる。また当該支柱部材の先端側は、環状に変形させた状態における帯状部材の内側又は外側に向かって曲折させることもできる。
【考案の効果】
【００１５】
本考案の袋体用自立保持具は、弾性変形可能な長尺な帯状部材と、当該帯状部材の幅方向に突き出して延伸する支柱部材とで形成しており、保持対象となる袋体の袋口の開口状態を確実に維持することができることから、一人で袋詰め作業を行うことができる。特に袋口を保持する帯状部材は、弾性変形可能な長尺部材を用いて形成していることから、耐久性に優れると共に、袋詰め作業時における保形性も向上させることができる。
【００１６】
更に当該帯状部材は、長さ方向両端部を連結することで環状にすることができ、簡易に組み立てることができ、また不使用時にはコンパクトに保管することができる。
【００１７】
そして当該帯状部材を支持する支柱部材は棒状に形成していることから、袋体内に土砂などを充填した後においても真っすぐ上に引き抜くことができ、よって袋体内に物品を充填した後における取り外しを簡易に行うことができる袋体用自立保持具を提供することができる。特に当該支柱部材を３本とした場合には、設置面に凹凸がある場合でも安定して自立させることがでる。また支柱部材の先端側を曲折させることにより、袋体内に挿入する際であっても、引っ掛かりを無くして円滑に挿入することができる。
【図面の簡単な説明】
【００１８】
【図１】本実施の形態に係る袋体用自立保持具を示す（Ａ）平面図、（Ｂ）正面図、（Ｃ）底面図、（Ｄ）背面図、（Ｅ）左側面図、（Ｆ）右側面図
【図２】本実施の形態に係る袋体用自立保持具の（Ａ）組立状態を示す要部拡大図、（Ｂ）斜視図
【図３】袋体用自立保持具の使用手順を示す工程図
【図４】他の実施の形態に係る袋体用自立保持具の帯状部材を示す（Ａ）要部正面図、（Ｂ）要部平面図、（Ｃ）円環状に変形した状態の要部平面図、（Ｄ）折り畳んだ状態の要部平面図
【考案を実施するための形態】
【００１９】
以下、図面を参照しながら、本実施の形態にかかる袋体用自立保持具３０を具体的に説明する。特に本実施の形態は袋体内に土砂を充填する土嚢袋の製造に使用する例を示しているが、他のものを充填する為に使用することもできる。
【００２０】
図１は本実施の形態に係る袋体用自立保持具３０を示す６面図であり、（Ａ）平面図、（Ｂ）正面図、（Ｃ）底面図、（Ｄ）背面図、（Ｅ）左側面図、（Ｆ）右側面図である。この図に示す袋体用自立保持具３０は、長尺な帯状に形成した帯状部材１０と、当該帯状部材１０に設けられた支柱部材２０とで構成されている。支柱部材２０は、帯状部材１０の幅方向の一方向に延伸しており、図１（Ｂ）では帯状部材１０の下方に向かって延伸している。
【００２１】
帯状部材１０は、弾性変形可能な材料を用いて形成されており、本実施の形態では厚さ０．８ｍｍのステンレス製（ＳＵＳ３０１ＣＳ−３／４）の板を用いて形成している。当該帯状部材１０は、袋体の袋口を開いた状態で保持できるような保形性を有しており、これによって袋口を開いた状態に保持することができる。当該帯状部材１０はバネ鋼などのその他の金属材料や、樹脂、竹材、又は木材などを用いて形成することもできる。当該帯状部材１０が弾性変形可能な材料を用いていることから、長さ方向の両端部を連結することにより弾性復元力によって円環状となる事ができる。
【００２２】
ここで設置する袋体の袋口を広げる部材は、複数の部材を組み合わせて環状に形成することも可能であるが、この場合には組立作業が複雑になる。この点、本実施の形態に係る袋体用自立保持具３０は両端部を連結するだけで良いことから、簡易に組み立てる事のできる袋体用自立保持具３０となる。
【００２３】
かかる帯状部材１０の両側には、連結部１１を形成している。かかる連結部１１は、帯状部材１０の長さ方向端部に、相互に対向する向きに設けた切り欠き溝として形成している。そして当該切り欠き溝同士を嵌め合わせることにより、当該帯状部材１０は円環状に変形させることができる。なお、当該連結部１１は端部同士を連結できれば各種形状や構造に形成しても良い。例えば、帯状部材１０の長さ方向の一方の端部をスリーブ状に形成すると共に、他端部を当該スリーブに差し込むことで連結することもでき、更に帯状部材１０の長さ方向の一方の端部にクランプ部材を設けた端部を挟み込むように形成することもできる。即ち、当該連結部１１は帯状部材１０の端部同士を連結できるものであれは、各種形状又は構造に形成することができる。
【００２４】
そして支柱部材２０は前記帯状部材１０に一体化して形成している。かかる支柱部材２０はステンレス（ＳＵＳ３０４）を用いて形成している所、他の金属や樹脂などで形成しても良い。当該支柱部材２０は、円環状に変形させた帯状部材１０を保持するものであることから、変形自在に形成しても良い。
【００２５】
当該支柱部材２０は、前記帯状部材１０に対して着脱自在に形成することもできる。特に本実施の形態に係る袋体用自立保持具３０では、当該支柱部材２０の脱落を回避する為に、溶接によって帯状部材１０に固定しており、その結果、袋詰め作業に際して、或いは当該袋体用自立保持具３０の引き抜き作業に際して、支柱部材２０が脱落してしまうおそれを無くすことができる。
【００２６】
特に当該支柱部材２０は、その先端側を丸めて形成していることから、麻袋やその他の網目地で形成された袋体であっても、その内部に円滑に挿入することができる。また当該支柱部材２０は３本で形成していることから、不整地であっても安定して立設させておくことができる。
【００２７】
図２は本実施の形態に係る袋体用自立保持具３０の（Ａ）組立状態を示す要部拡大図、（Ｂ）斜視図を示している。この図に示す様に、前記帯状部材１０は、その両端部に形成された切り欠きを嵌め合わせることによって連結することができる。当該切り欠き同士（即ち、連結部１１同士）の嵌め合わせに際しては、両端部が内側に存在するように組み合わせることができ、これにより両端部が円環形状の外側にはみ出ることはない。そして本実施の形態に係る袋体用自立保持具３０では、帯状部材１０の一方の端部には２つ以上に切り欠き（連結部１１）を設けていることから、袋口の大きさに合わせて、当該円環形状の大きさを調整することができる。
【００２８】
更に切り欠き（連結部１１）を嵌め合わせた上から、本実施の形態では連結状態を維持する為に締結バンド１２を設けている。かかる締結バンドは粘着テープや面ファスナーからなるベルトを用いることができ、当該締結バンドで切り欠き（連結部１１）を嵌め合わせた部分を巻回しておくことにより、当該帯状部材１０の弾性復元により展開するのを回避することができる。
【００２９】
図３は上記袋体用自立保持具３０の使用手順を示す工程図である。当該袋体用自立保持具３０は、上記の様に組み立てた後、円環状に変形させた帯状部材１０内に袋体Ｂを挿入する。帯状部材１０内に挿入した袋体Ｂの袋口は、当該帯状部材１０に巻き回すなどして固定することにより、開いた状態に維持することができる。なお、袋体内に充填する物によっては、前記支柱部材２０は、充填する袋体内に挿入することもできる。具体的には当該袋体用自立保持具３０を倒立させた状態として、支持部材に袋体をかぶせることができる。特に本実施の形態にかかる袋体用自立保持具３０において、支柱部材２０を内側に向かって傾斜させていることから、袋体内への挿入作業を円滑に行うことができる。
【００３０】
上記の様に帯状部材１０内に袋体Ｂを挿入した後、挿入した袋体Ｂの袋口を開口状態に保持し、これを支柱部材２０で立たせることができる。この時、袋口は円環状に変形した帯状部材１０によって開かれていることから、安定して土砂などを投入することができる。そして袋体内に土砂などを充填した後においては、当該袋体用自立保持具３０を取り外すことで、土砂を充填した土嚢を製造することができる。
【００３１】
図４は他の実施の形態に係る袋体用自立保持具３０の帯状部材１０を示す（Ａ）要部正面図、（Ｂ）要部平面図、（Ｃ）円環状に変形した状態の要部平面図、（Ｄ）折り畳んだ状態の要部平面図である。この実施の形態に係る袋体用自立保持具３０は、前記帯状部材１０を折り畳むことができるように構成した例を示している。具体的には、帯状部材１０同士を２つ以上に分割した帯状片を連結して形成しており、当該連結部１１には蝶番１３を設けている。かかる蝶番１３は一方の帯状片の端部から離れた場所に設けており、他方の帯状片の端部を一体化している。
【００３２】
このように形成した袋体用自立保持具３０においては、帯状部材１０を円環状に変形させた際には、当該蝶番１３が屈曲することはなく一方で反対側には曲折させることができる為、保管時や輸送時など、使用しない場合にはコンパクトに保管する事ができる。
【産業上の利用可能性】
【００３３】
本考案の袋体用自立保持具は、袋体内に土砂を充填する際、即ち土嚢を製造する際に利用する事ができ、その他にも粒状物を袋詰めする際、更にはゴミ袋などを開口させて自立させておくために利用する事ができる。
【符号の説明】
【００３４】
１０    帯状部材
１１    連結部
１１）    切り欠き（連結部
１２    締結バンド
１３    蝶番
２０    支柱部材
３０    袋体用自立保持具
Ｂ    袋体
【図１】
0003231573.tif 000003
【図２】
0003231573.tif 000004
【図３】
0003231573.tif 000005
【図４】
0003231573.tif 000006